(57)【要約】【課題】電動工具本体が落下した場合でも掛止用フックに破損を生じることが防止されるコンパクトな電動工具を提供する。【解決手段】モータ４を内蔵する電動工具本体１の本体ハウジング３に幅広の電池パック取付部３ｂを形成するとともに、該電池パック取付部３ｂにモータ４の駆動源である電池パック２を接続し、軸部１８を有する掛止用フック１６を、該軸部１８を中心に回転して角度変更自在となるように本体ハウジング３の電池パック取付部３ｂ近傍に接続させた可搬式電動工具において、前記掛止用フック１６の回転軸方向の端部位置Ｑを電池パック２の幅内に納める。【選択図】        図１
2004174647.tif 000002
【特許請求の範囲】
【請求項１】
モータを内蔵する電動工具本体の本体ハウジングに幅広の電池パック取付部を形成するとともに、該電池パック取付部にモータの駆動源である電池パックを接続し、軸部を有する掛止用フックを、該軸部を中心に回転して角度変更自在となるように電動工具本体の電池パック取付部近傍に接続させた可搬式電動工具において、前記掛止用フックの回転軸方向の端部位置を電池パックの幅内に納めることを特徴とする可搬式電動工具。
【請求項２】
掛止用フックの設定可能な角度として、掛止用フックの先端部が電池パック取付部と当接する角度を備えることを特徴とする請求項１記載の可搬式電動工具。
【発明の詳細な説明】
【０００１】
【発明の属する技術分野】
本発明は、作業者の腰ベルト等に引掛ける掛止用フックを有する可搬式電動工具に関する。
【０００２】
【従来の技術】
従来から、電動工具本体を作業者の腰ベルト等に引掛けておく為に、掛止用フックを、該掛止用フックに突設した軸部を中心として回転自在に電動工具本体に接続させた可搬式電動工具が提案されている（特許文献１参照）。しかしながら、このものにおいては、掛止用フックが電動工具本体に接続した電池パックの幅からはみ出て位置するようになっており、電動工具本体が小型であっても全体としては大型化してしまうとともに、電動工具本体が落下した場合には、掛止用フックが先に地面等に衝突して破損が生じ易いものであった。加えて、掛止用フックは常にその軸部側でのみ支持されているので、落下等の衝撃により軸部側に負荷が集中することでも破損し易いものであった。
【０００３】
【特許文献１】
特開２００２−２５４３５８号公報
【０００４】
【発明が解決しようとする課題】
本発明は上記の点に鑑みてなされたものであり、電動工具本体が落下した場合でも掛止用フックに破損を生じることが防止されるコンパクトな電動工具を提供することを課題とするものである。
【０００５】
【課題を解決するための手段】
上記課題を解決するために本発明を、モータを内蔵する電動工具本体の本体ハウジングに幅広の電池パック取付部を形成するとともに、該電池パック取付部にモータの駆動源である電池パックを接続し、軸部を有する掛止用フックを、該軸部を中心に回転して角度変更自在となるように電動工具本体の電池パック取付部近傍に接続させた可搬式電動工具において、前記掛止用フックの回転軸方向の端部位置を電池パックの幅内に納めることを特徴としたものとする。このようにすることで、掛止用フックまで含めた全体として可搬式電動工具がコンパクト化されるとともに、掛止用フックの装着、未装着によって可搬式電動工具全体の寸法に生じる寸法の差が小さくなって収納ケース等を共用することが容易になる。加えて、電動工具本体が落下した場合にも、掛止用フックが先に地面等に衝突して破損を生じることが回避される。
【０００６】
また、掛止用フックの設定可能な角度として、掛止用フックの先端部が電池パック取付部と当接する角度を備えることも好ましい。このようにすることで、落下等により掛止用フックが衝撃を受けた場合も軸部側にだけ負荷が集中するのでなく先端側にも分散されて、掛止用フックの破損を更に確実に防止されることとなる。
【０００７】
【発明の実施の形態】
以下、本発明を添付図面に示す実施の形態に基づいて説明する。図５には、本発明の実施の形態における一例の可搬式電動工具の全体を示している。一例の可搬式電動工具は、電動工具本体１と電池パック２とで主体を構成する電動ドライバであって、電動工具本体１の略Ｔ型を成す本体ハウジング３内には、動力源である電池パック２から供給される電気エネルギにより回転駆動されるモータ４と、モータ４への電気エネルギの入り切りを操作するスイッチ５と、モータ４の回転を締結作業や穴あけ作業に適した回転数等に変換して伝達する減速機ブロック６とを備え、スイッチ５の操作に基づいてモータ４の回転力をチャック７に保持した先端工具（図示せず）にまで伝達して作業を行うものである。なお、以下の説明文中において、電動工具本体１のチャック７を設けた側を正面側、電池パック２を接続した側を下側とする。
【０００８】
図３、図４に示すように、本体ハウジング３の把持部分であるグリップ部３ａの背面には、フック保持部８を背方に向けて延設している。フック保持部８は本体ハウジング３と同一の樹脂によって同時に成形されるものであり、両側方に開口した貫通穴９を備えて略円筒状をしている。貫通穴９を構成する中央穴部１０と両側穴部１１，１１とでは、中央穴部１０が両側穴部１１，１１よりも段部１２，１２を介して小径に形成されており、上記中央穴部１０が後述する掛止用フック１６の挿入穴１３となっている。いずれの段部１２，１２にも、挿入穴１３の軸方向に向けて波型の凹凸を成す係合部１４，１４を突設しており、また、いずれの側穴部１１，１１の内周壁にも、回転規制溝１５，１５を周方向に伸びるように凹設している。
【０００９】
掛止用フック１６は、略ヘ字状に形成したハンドル部１７とこれの根元部分に突設した略円柱状の軸部１８とで主体を構成している。軸部１８は根元部１９と先端部２０とから成り、先端部２０は段部２１を介して根元部１９より小径に形成している。先端部２０は前記挿入穴１３と嵌合し且つこの嵌合状態で軸中心に回転摺動可能となるように形成しており、根元部１９の側面には回転規制リブ２２を突設している。この回転規制リブ２２は、先端部２０と挿入穴１３との嵌合状態において回転規制溝１５内で回転摺動自在となるものである。段部２１には、軸部１８の先端部２０側を向く軸方向に波型の凹凸をなす被係合部２５を、先端部２０と挿入穴１３との嵌合状態において係合部１４と対向して係合可能となるように形成している。また、軸部１８には金属ねじ２３をインサート成形しており、軸部１８を構成する先端部２０の先端からこの金属ねじ２３を一部突出させて該突出部分を螺合部２４としている。掛止用フック１６は樹脂成形されるものであるが、金属ねじ２３を用いたことでねじ部分の強度は確保されている。
【００１０】
軸部１８の先端部２０が挿入穴１３に嵌合し、且つ、係合部１４と被係合部２５とが係合した状態において、連通穴９の両側穴部１１，１１のうち被係合部２５が位置する側と逆側の側穴部１１（以下、側穴部１１´という）の開口位置にある螺合部２４には、抜け止め部２６に設けた雌ねじ状の被螺合部２７を螺合させている。抜け止め部２６にはコイン等を嵌め込んで回転させられる溝部２８を凹設して螺合部２４との着脱を容易にしている。なお、強度確保の為には金属ナットを抜け止め部２６にインサート成形することが好ましい。
【００１１】
そして、上記のようにして抜け止め部２６を軸部１８に固定した状態において、フック保持部８の側穴部１１´にある係合部１４と、抜け止め部２６の該係合部１４との対向箇所との間には、弾性体であるばね２９を圧縮配設している。ばね２９が発生させる付勢力は、抜け止め部２６と掛止用フック１６を一体に図中のＡ方向に付勢する力となり、これにより被係合部２５が係合部１４に押付けられている。
【００１２】
上記の掛止用フック１６を電動工具本体１に装着するには、掛止用フック１６の軸部１８をフック保持部８の貫通穴９内に一方の側穴部１１側から挿入し、該側穴部１１側の係合部１４と被係合部２５とを係合させた状態で、他方の側穴部１１´側にばね２９を挿入して、該ばね２９をフック保持部８との間で圧縮させながら抜け止め部２６を軸部１８の螺合部２４に螺合させていけば良い。この際、抜け止め部２６の回転と連動して、ばね２９がフック保持部８にその先端を突き刺すように動いてしまっては作業に支障があるので、ばね２９として左巻きのものを使用し且つ先端を研磨しておくことが好適である。
【００１３】
掛止用フック１６の上記装着状態において、係合部１４と被係合部２５とは、ばね２９の付勢力によりその係合方向に付勢されながら係合しているので、仮に掛止用フック１６のハンドル部１７に回転負荷がかかったとしても、該回転負荷が所定値を超えない限りは、掛止用フック１６はその角度のままで電動工具本体１に係止される。そして、ハンドル部１７にかかる回転負荷が所定値を超えた場合には、ばね２９の付勢力に抗して係合部１４と被係合部２５との係合が解除されて、被係合部２５が係合部１４を乗り越えながら回転し、その後にばね２９の付勢力によって係合部１４と被係合部２５とは回転前と別の噛合い状態で再度係合する。係合部１４及び被係合部２５はそれぞれ周方向に多数の凹凸を連設した波型形状であるので、掛止用フック１６が電動工具本体１に対して多段階の角度に位置する場合において、それぞれ対応する噛合い状態で係合部１４と被係合部２５とを係合させて掛止用フック１６をその角度に係止することができ、更に、所定値以上の回転負荷を与えれば回転により他のいずれの角度にも問題なく変更可能である。回転負荷の所定値としては、実際に腰ベルトに引掛けて使用する可搬式電動工具が安全面から小型のものに限定されることを考慮して、掛止用フック１６の使用中に容易に角度変更がされない程度であれば良い。
【００１４】
掛止用フック１６の軸部１８を中心とした回転は、回転規制溝１５内を回転規制リブ２２が移動する範囲内に規制されており、例えば図６に示すように、ハンドル部１７が略水平となる位置Ｐ１から、ハンドル部１７が略垂直となる位置Ｐ２にまで、軸部１８を中心とした略９０度の範囲内で回転可能となっている。本体ハウジング３の下端部であってフック保持部８の近傍となる部分には、電池パック２を嵌合により接続する電池パック取付部３ｂを、左右方向即ち掛止用フック１６の回転軸方向において最も幅広に形成しており、掛止用フック１６がいずれの角度に係止されている場合であっても、上方から見て該掛止用フック１６が本体ハウジング３の電池パック取付部３ｂから側方にはみ出さないようにしている。
【００１５】
掛止用フック１６の回転軸方向において、電池パック取付部３ｂの幅Ｗは電池パック２の幅と略一致するように形成しているので、掛止用フック１６の回転軸方向の端部位置Ｑは電池パック２の幅内に納められることとなる（図１参照）。図２には掛止用フック１６の端部位置Ｑを電池パック２の幅内（即ち電池パック取付部３ｂの幅Ｗ内）に納めず例えばΔＷだけはみ出させた場合を示しているが、これと比較しても明らかなように、図１に示す本例の可搬式電動工具は掛止用フック１６まで含めた全体としてコンパクト化されるとともに、掛止用フック１６の装着、未装着によって可搬式電動工具全体の寸法に生じる寸法の差が小さくなって収納ケース等を共用することが容易になる。また、電動工具本体１が落下した場合にも、掛止用フック１６が先に地面等に衝突して破損を生じることが回避されるものである。
【００１６】
加えて、上記の位置Ｐ１は掛止用フック１６の非使用時の収納位置であって該収納位置にあるときはハンドル部１７の先端部を本体ハウジング３の電池パック取付部３ｂに押し当てた状態となるようにしている。このように、掛止用フック１６の設定可能な角度として、掛止用フック１６の先端部が電池パック取付部３ｂと当接する角度を収納時の角度として備えておくことで、落下等により掛止用フック１６が衝撃を受けた場合も軸部１８側にだけ負荷が集中するのでなく先端側にも分散されて、掛止用フック１６の破損を更に確実に防止することができるようになっている。
【００１７】
【発明の効果】
上記のように請求項１記載の発明にあっては、掛止用フックまで含めた全体として可搬式電動工具がコンパクト化されるとともに、掛止用フックの装着、未装着によって可搬式電動工具全体の寸法に生じる寸法の差が小さくなって収納ケース等を共用することが容易になるという効果がある。また、電動工具本体が落下した場合にも、掛止用フックが先に地面等に衝突して破損を生じることが回避されるという効果がある。
【００１８】
また、請求項２記載の発明にあっては、請求項１記載の発明の効果に加えて、落下等により掛止用フックが衝撃を受けた場合も軸部側にだけ負荷が集中するのでなく先端側にも分散されるので、掛止用フックの破損を更に確実に防止することができるという効果がある。
【図面の簡単な説明】
【図１】本発明の実施の形態における一例の可搬式電動工具の水平断面図であり、（ａ）には掛止用フックを収納位置に係止した状態を示し、（ｂ）には（ａ）との比較対象として掛止用フックを設けなかった状態を示している。
【図２】同上の可搬式電動工具において、仮に掛止用フックを電池パックの幅からはみ出すように接続させた場合の水平断面図であり、（ａ）には掛止用フックを収納位置に係止した状態を示し、（ｂ）には（ａ）との比較対象として掛止用フックを設けなかった状態を示している。
【図３】同上の可搬式電動工具における掛止用フックの接続構造を示す水平断面図である。
【図４】同上の可搬式電動工具の一部分解斜視図である。
【図５】同上の可搬式電動工具の全体斜視図である。
【図６】同上の可搬式電動工具における掛止用フックの係止位置を示す説明図である。
【符号の説明】
１  電動工具本体
２  電池パック
３  本体ハウジング
３ｂ  電池パック取付部
４  モータ
１６  掛止用フック
１８  軸部
Ｑ  端部位置
【図１】
2004174647.tif 000003
【図２】
2004174647.tif 000004
【図３】
2004174647.tif 000005
【図４】
2004174647.tif 000006
【図５】
2004174647.tif 000007
【図６】
2004174647.tif 000008